(57)【要約】【課題】  いわゆる片口金構造である放電灯を使用した場合であっても、明るさ検出手段による明るさの検出を精度よく実施できる照明器具を提供する【解決手段】  放電灯と、放電灯を点灯制御する点灯回路と、放電灯の明るさを検出する明るさ検出手段と、明るさ検出手段の検出結果に従って放電灯の明るさを制御する制御部と、を備えた照明器具であって、放電灯が、その一部に屈曲部を有し、電極が設けられる端部が近接することで、放電電流が流れる経路が電極を発着点として略Ｕ字形状となる片口金構造であり、明るさ検出手段が、放電灯の端部外際面を起点に屈曲部方向へ５０ｍｍ以上であって屈曲部内際面を起点に端部方向へ５０ｍｍ以上である位置の、明るさを測定するものである【選択図】図１
2007026838.tif 000002
【特許請求の範囲】
【請求項１】
放電灯と、放電灯を点灯制御する点灯回路と、放電灯の明るさを検出する明るさ検出手段と、明るさ検出手段の検出結果に従って放電灯の明るさを制御する制御部と、を備えた照明器具であって、放電灯が、その一部に屈曲部を有し、電極が設けられる端部が近接することで、放電電流が流れる経路が電極を発着点として略Ｕ字形状となる片口金構造であり、明るさ検出手段が、放電灯の端部外際面を起点に屈曲部方向へ５０ｍｍ以上であって屈曲部内際面を起点に端部方向へ５０ｍｍ以上である位置の、明るさを測定するものであることを特徴とする照明器具。
【請求項２】
明るさ検出手段が、放電灯の端部外際面を起点に屈曲部方向へ、端部外際面と屈曲部内際面との間の距離の０．８倍にある点より端部側である位置の、明るさを測定するものであることを特徴とする請求項１に記載の照明器具。
【請求項３】
明るさ検出手段が、放電灯の長手方向と直交し端部外際面を起点に屈曲部方向へ５０ｍｍにある点を含む面と、放電灯の長手方向と直交し屈曲部内際面を起点に端部方向へ５０ｍｍにある点を含む面と、で挟まれる空間に備えられることを特徴とする請求項１又は２に記載の照明器具。
【発明の詳細な説明】
【技術分野】
【０００１】
本発明は、放電灯と、放電灯を点灯制御する点灯回路と、放電灯の明るさを検出する明るさ検出手段と、明るさ検出手段の検出結果に従って放電灯の明るさを制御する制御部と、を備えた照明器具に関し、特に所望の光以上の無駄な光をカットして省エネルギを行ない、また光源のばらつきを抑え、器具毎の照度ばらつきを小さくするためにランプの出力を制御する照明器具に関するものである。
【背景技術】
【０００２】
従来から、放電灯と、放電灯を点灯制御する点灯回路と、放電灯の明るさを検出する明るさ検出手段と、明るさ検出手段の検出結果に従って放電灯の明るさを制御する制御部と、を備えた照明器具として特開２０００−３４０３８７号公報（特許文献１）に記載されている技術が知られている。
【０００３】
これは、直管蛍光灯ランプと、蛍光灯ランプを点灯制御する電子安定器と、蛍光灯ランプの明るさを検出する光センサと、光センサの検出結果に従って蛍光灯ランプの明るさを制御する制御回路と、を備えた蛍光灯装置であり、光センサを部屋に取り付けるのではなくて、照明器具本体に装着する反射板に形成された透光窓を介して照明器具本体の内部に光センサを配置することで、光センサを部屋に取り付けた場合の種々の設定を省略し、使い勝手のよい照明器具を提供するものである。
【０００４】
かかる照明器具においては、蛍光灯ランプの端部近傍は光束の変化が大きく、この位置の明るさを測定しようとすると光センサの取付け位置の誤差による検出値の変動が大きいことから、蛍光灯ランプの略中央部の明るさを測定することが通常なされていた。
【特許文献１】特開２０００−３４０３８７号公報
【発明の開示】
【発明が解決しようとする課題】
【０００５】
しかしながら、放電灯が、その一部に屈曲部を有し、電極が設けられる端部が近接することで、放電電流が流れる経路が電極を発着点として略Ｕ字形状となる片口金構造である場合には、略中央部が屈曲部に含まれることが通常であり、直管放電灯と同様に略中央部の明るさを測定すると、屈曲部に基づく明るさ検出値の変動が生じる可能性がある。
【０００６】
また片口金構造では、放電灯の近接する端部が照明器具の一面に、いわゆる片持ち梁のように取り付けられるものであるから、取付支持されていない屈曲部近傍では照明器具の取付け時のねじれ等に基づく明るさ検出値の変動が生じる可能性がある。
【０００７】
本願発明は、上記背景技術に鑑みてなされたものであり、その課題は、いわゆる片口金構造である放電灯を使用した場合であっても、明るさ検出手段による明るさの検出を精度よく実施できる照明器具を提供することである。
【課題を解決するための手段】
【０００８】
上記課題を解決するために、請求項１に記載された発明は、放電灯と、放電灯を点灯制御する点灯回路と、放電灯の明るさを検出する明るさ検出手段と、明るさ検出手段の検出結果に従って放電灯の明るさを制御する制御部と、を備えた照明器具であって、放電灯が、その一部に屈曲部を有し、電極が設けられる端部が近接することで、放電電流が流れる経路が電極を発着点として略Ｕ字形状となる片口金構造であり、明るさ検出手段が、放電灯の端部外際面を起点に屈曲部方向へ５０ｍｍ以上であって屈曲部内際面を起点に端部方向へ５０ｍｍ以上である位置の、明るさを測定するものであることを特徴とする照明器具である。
【０００９】
また請求項２に記載された発明は、明るさ検出手段が、放電灯の端部外際面を起点に屈曲部方向へ、端部外際面と屈曲部内際面との間の距離の０．８倍にある点より端部側である位置の、明るさを測定するものであることを特徴とする請求項１に記載の照明器具である。
【００１０】
また請求項３に記載された発明は、放電灯の長手方向と直交し端部外際面を起点に屈曲部方向へ５０ｍｍにある点を含む面と、放電灯の長手方向と直交し屈曲部内際面を起点に端部方向へ５０ｍｍにある点を含む面と、で挟まれる空間に備えられることを特徴とする請求項１又は２に記載の照明器具である。
【００１１】
ここで屈曲部とは、図２及び図３に示す如く、放電電流が流れる略Ｕ字形状の経路の折り返しを与える部分であり、図３に示す如く、１本の直管放電灯の略中央部を折り曲げたものであってもよいし、図２に示す如く、一の電極が設けられる端部から棒状に延出した放電管が２本用意され、２つの端部が近接するように、端部の反対側が溶接により設けられた中空のガラス管により相互に連通するものであってもよい。
【００１２】
また屈曲部内際面とは、図２及び図３における一点鎖線７で示される面であって、放電灯において、屈曲部のの中で端部に最も近い点を含み、放電灯の長手方向と直交する面をいう。
【００１３】
また端部外際面とは、図２及び図３における一点鎖線８で示される面であって、放電灯において、放電管と口金部の接触面をいう。
【発明の効果】
【００１４】
請求項１に記載された発明によれば、明るさ検出手段が、放電灯の端部外際面を起点に屈曲部方向へ５０ｍｍ以上であって屈曲部内際面を起点に端部方向へ５０ｍｍ以上である位置の、明るさを測定するものとしたので、屈曲部に基づく光束の変化が大きい位置を除外しての明るさの検出が可能となり、測定精度を向上することができる。
【００１５】
請求項２に記載された発明によれば、明るさ検出手段が、放電灯の端部が取り付けられる部位に近い位置の、明るさを測定するものとしたので、放電灯自体の取付け時のねじれ等に基づく光束の変化が大きい位置を除外しての明るさの検出が可能となり、測定精度を向上することができる。
【００１６】
請求項３に記載された発明によれば、明るさ検出手段が、放電灯の光束の変化が大きい位置を除外した位置に対向することとなり、別段の反射鏡等を備えなくとも光束の変化が大きい位置を除外しての明るさの検出が可能となり、照明器具のコストを抑制して提供することができる。
【発明を実施するための最良の形態】
【００１７】
本願発明の一実施形態として、本願の請求項１〜３に対応した照明器具１について図１により説明する。
【００１８】
本実施形態の照明器具１は、図１又は図２に示す如く、放電灯２と、放電灯２を点灯制御する点灯回路３と、放電灯２の明るさを検出する明るさ検出手段４と、明るさ検出手段４の検出結果に従って放電灯２の明るさを制御する制御部５と、を備えた照明器具１であって、放電灯２が、その一部に屈曲部２１を有し、電極２３、２３’が設けられる端部２２、２２’が近接することで、放電電流が流れる経路が電極２３、２３’を発着点として略Ｕ字形状となる片口金構造であり、明るさ検出手段４が、放電灯２の端部外際面８を起点に屈曲部方向へ５０ｍｍ以上であって屈曲部内際面７を起点に端部方向へ５０ｍｍ以上である位置の、明るさを測定するものである。
【００１９】
また、明るさ検出手段が、放電灯の端部外側面を起点に屈曲部方向へ、端部外際面８と屈曲部内際面７との間の距離の０．８倍にある点より端部側である位置の、明るさを測定するものである。
【００２０】
さらに、明るさ検出手段が、放電灯の長手方向と直交し端部外際面８を起点に屈曲部方向へ５０ｍｍにある点を含む面と、放電灯の長手方向と直交し屈曲部内際面７を起点に端部方向へ５０ｍｍにある点を含む面と、で挟まれる空間に備えられる。
【００２１】
以下、本実施形態による照明器具１を、より具体的詳細に説明する。
【００２２】
最初に、照明器具１であるが、これは放電灯２と、点灯回路３と、明るさ検出手段４と、制御部５とで、構成される。
【００２３】
放電灯２は、片口金構造のものであり、本実施形態においては、図２に示す如く、一の電極２３、２３’が設けられる端部２３、２３’から棒状に延出した放電管が２本用意され、２つの端部２３、２３’が近接するように、端部２３、２３’の反対側が溶接により設けられた中空のガラス管により相互に連通するもの（松下電器産業株式会社製ＦＨＰ４５ＥＬ）が使用されている。この構造により、放電電流が流れる経路が電極を発着点として略Ｕ字形状となる。
【００２４】
上述の通り、放電灯２は、中空のガラス管により相互に連通するものに限られず、図３に示す如く、１本の直管放電灯を略中央部で折り曲げて外観を略Ｕ字形状としたものであってもよい。
【００２５】
なお、放電灯２の照射面に相反する方向には、放電灯２の光を照射面に有効に導くことで照明器具１としての効率を向上させる反射面９が設けられている。
【００２６】
反射面９は、汎用のものが使用される。本実施形態においては、樹脂製のものを用いている。
【００２７】
点灯回路３は、放電灯２を点灯させる高周波電力を供給するものであり、本実施形態においては、商用電源を整流する整流平滑回路と、整流された電力を高周波電力に変換するハーフブリッジ型インバータを主要構成要素とするものである。
【００２８】
また点灯回路３は、制御部５からの信号によって放電灯２の光出力を調節し、明るさを一定に保つものである。
【００２９】
明るさ検出手段４は、光入力を電気信号に変換するであり、本実施形態においては、フォトダイオードを主要構成要素とするものである。
【００３０】
また、安定した電気信号を得るために、検出値をＡＤ変換し、さらにＡＤ変換値を平均化してもよい。
【００３１】
なお、明るさ検出手段４は、反射面に設けられた検出孔６を介して放電灯２に対向して設けられている。
【００３２】
ここで、検出孔６は、放電灯２から出た光が放電灯２に戻ってくるエリアであって、放電灯２の端部外際面８を起点に屈曲部方向へ５０ｍｍ以上であって屈曲部内際面７を起点に端部方向へ５０ｍｍ以上である位置に、さらに放電灯２の端部外際面８を起点に屈曲部方向へ、端部外際面８と屈曲部内際面７との間の距離の０．８倍にある点より端部側である位置に設けられた、放電灯２の長手方向と直交するスリットである。
【００３３】
そのため、明るさ検出手段４は、放電灯２の端部外際面８を起点に屈曲部方向へ５０ｍｍ以上であって屈曲部内際面７を起点に端部方向へ５０ｍｍ以上である位置に、さらに放電灯２の端部外際面８を起点に屈曲部方向へ、端部外際面８と屈曲部内際面７との間の距離の０．８倍にある点より端部側である位置に設けられることとなる。
【００３４】
制御部５は、明るさ検出手段４からの電気信号を受けて、点灯回路３の光出力を制御する信号を送信するもので、マイクロコンピュータを主要構成要素とする。
【００３５】
本実施形態による照明器具１は、以上のように構成されているので、点灯回路３が放電灯２を点灯させ、放電灯２からの光が反射面９に設けられた検出孔１０を介して明るさ検出手段４によって検出され、その検出値によって放電灯２の光出力が制御されるので、放電灯２の明るさを設定された目的値に制御することができるものである。
【００３６】
ここで、検出孔６及び明るさ検出手段４を表１に示す位置とした場合の測定点の±１０ｍｍにおける最大相対照度と最小相対照度の差の測定結果について、本願発明の実施例１〜１５、比較例１〜６について、説明する。
【００３７】
ここで表１は、端部外際面８からの距離、屈曲部内際面７からの距離、端部外際面８と屈曲部内際面７との間の距離に対する倍率、のそれぞれについて、測定点の±１０ｍｍにおける最大相対照度と最小相対照度の差を、求めたものである。
【００３８】
【表１】
2007026838.tif 000003
【００３９】
ここで、各照度は端部外際面８と屈曲部内際面７との間の距離が、３００ｍｍ、５００ｍｍ、７００ｍｍである３本の放電灯２と、検出孔１０の位置を、端部外際面８と屈曲部内際面７との間で１０ｍｍ間隔ずつずらした反射板９とを、適宜組合せることで、構成した照明器具１を用意し、この放電灯２を点灯させて、最大照度に対する相対照度を求めることで測定した。
【００４０】
以上に示すごとく、実施例１、５、６、１０、１１、１５とと比較例１〜６の結果から明らかなように、本実施形態によれば、明るさ検出手段が、放電灯の端部外際面を起点に屈曲部方向へ５０ｍｍ以上であって屈曲部内際面を起点に端部方向へ５０ｍｍ以上である位置の、明るさを測定するものとしたので、屈曲部に基づく光束の変化が大きい位置を除外しての明るさの検出が可能となり、測定精度を向上することができる。
【００４１】
また、実施例１〜４、６〜９、１１〜１４の結果から明らかなように、明るさ検出手段が、放電灯の端部が取り付けられる部位に近い位置の、明るさを測定するものとしたので、放電灯自体の取付け時のねじれ等に基づく光束の変化が大きい位置を除外しての明るさの検出が可能となり、測定精度を向上することができる。
【００４２】
また、実施例１〜１５と比較例１〜６との結果から明らかなように、明るさ検出手段が、放電灯の光束の変化が大きい位置を除外した位置に対向することとなり、別段の反射鏡等を備えなくとも光束の変化が大きい位置を除外しての明るさの検出が可能となり、照明器具のコストを抑制して提供することができる。
【図面の簡単な説明】
【００４３】
【図１】本願発明の一実施形態における照明器具の斜視図
【図２】本願発明の一実施形態における放電灯の平面図
【図３】本願発明の一実施形態における他の放電灯の平面図
【符号の説明】
【００４４】
１      照明器具
２      放電灯
２１    屈曲部
２２    端部
２２’  端部
２３    電極
２３’  電極
３      点灯回路
４      明るさ検出手段
５      制御部
６      検出孔
７      屈曲部内際面
８      端部外際面
９      反射板
【図１】
2007026838.tif 000004
【図２】
2007026838.tif 000005
【図３】
2007026838.tif 000006